(57)【要約】【課題】一行程度の小さい表示部でも、フォルダーとともに、そのなかにおける再生可能な楽曲データの有無と、下位フォルダーの有無という２種類の情報を両方同時に表示することで、再生可能な楽曲データの有無を含むフォルダーの階層構造を従来よりも直感的に把握しやすい技術、すなわちメディア再生装置、方法及びプログラムを提供すること。【解決手段】再生可能な楽曲データの有無については、フォルダー名と共に表示するマークの種類で識別表示し、具体的には、再生出来るファイルが無ければ「□」を、再生可能な楽曲データが有れば「■」のマーク（記号）を表示する。また、下位フォルダーの有無については、前記マークを点滅させるか否かで識別表示し、具体的には、下位層にフォルダーがあるときはマークを点滅させ、下位のフォルダーが無いときは点滅させない。【選択図】　図４
2004030759.tif 000002
【特許請求の範囲】
【請求項１】
階層化可能なフォルダー内に楽曲データを記録したメディアを再生するメディア再生装置において、
前記階層の構造を解析するとともに、その結果に基づき、フォルダー名と共に、そのフォルダー内における下位フォルダーの有無及び再生可能な楽曲データの有無を表示する手段を備えたことを特徴とするメディア再生装置。
【請求項２】
前記下位フォルダーの有無及び再生可能な楽曲データの有無は、いずれか一方を前記フォルダー名と共に表示するマークの種類で、他方をそのマークを点滅させるか否か、により識別表示するように構成されたことを特徴とする請求項１記載のメディア再生装置。
【請求項３】
前記下位フォルダーの有無及び再生可能な楽曲データの有無は、いずれか一方を前記フォルダー名と共に表示するマークの種類で、他方をそのマーク及び前記フォルダー名を点滅させるか否か、により識別表示するように構成されたことを特徴とする請求項１記載のメディア再生装置。
【請求項４】
階層化可能なフォルダー内に楽曲データを記録したメディアを再生するメディア再生方法において、
前記階層の構造を解析するとともに、その結果に基づき、フォルダー名と共に、そのフォルダー内における下位フォルダーの有無及び再生可能な楽曲データの有無を表示することを特徴とするメディア再生方法。
【請求項５】
前記下位フォルダーの有無及び再生可能な楽曲データの有無は、いずれか一方を前記フォルダー名と共に表示するマークの種類で、他方をそのマークを点滅させるか否か、により識別表示することを特徴とする請求項４記載のメディア再生方法。
【請求項６】
前記下位フォルダーの有無及び再生可能な楽曲データの有無は、いずれか一方を前記フォルダー名と共に表示するマークの種類で、他方をそのマーク及び前記フォルダー名を点滅させるか否か、により識別表示することを特徴とする請求項４記載のメディア再生方法。
【請求項７】
コンピュータを制御することにより、階層化可能なフォルダー内に楽曲データを記録したメディアを再生するメディア再生プログラムにおいて、
そのプログラムは前記コンピュータに、
前記階層の構造を解析させるとともに、その結果に基づき、フォルダー名と共に、そのフォルダー内における下位フォルダーの有無及び再生可能な楽曲データの有無を表示させることを特徴とするメディア再生プログラム。
【請求項８】
前記プログラムは前記コンピュータに、
前記下位フォルダーの有無及び再生可能な楽曲データの有無について、いずれか一方を前記フォルダー名と共に表示するマークの種類で、他方をそのマークを点滅させるか否か、により識別表示させることを特徴とする請求項７記載のメディア再生プログラム。
【請求項９】
前記プログラムは前記コンピュータに、
前記下位フォルダーの有無及び再生可能な楽曲データの有無について、いずれか一方を前記フォルダー名と共に表示するマークの種類で、他方をそのマーク及び前記フォルダー名を点滅させるか否か、により識別表示させることを特徴とする請求項７記載のメディア再生プログラム。
【発明の詳細な説明】
【０００１】
【発明の属する技術分野】
本発明は、一行程度の小さい表示部でも、フォルダーとともに、そのなかにおける再生可能な楽曲データの有無と、下位フォルダーの有無という２種類の情報を両方同時に表示することで、再生可能な楽曲データの有無を含むフォルダーの階層構造を従来よりも直感的に把握しやすい技術、すなわちメディア再生装置、方法及びプログラムに関するものである。
【０００２】
【従来の技術】
近年、デジタル技術の普及に伴い、ＣＤなどの各種ディスクやフラッシュメモリなどの情報記録媒体（以下「メディア」とも呼ぶ）に記録された圧縮オーディオファイル等のデータを再生するメディア再生装置に関する技術が発達している。この種の装置は、与えられる操作に応じて、メディアに記録されたフォルダーやファイルを検索し、その存在や名称等を表示するフォルダー検索機能を備えている。
【０００３】
具体的には、まず、これらメディア再生装置及びメディアでは、情報整理のため、一又は二以上の楽曲データのファイルを、フォルダーと呼ばれる入れ場所にまとめたり、一又は二以上のフォルダーと必要な場合はさらにファイルを、より上位のフォルダー内にまとめるような階層構造をとることができる。ここで、図５は従来技術の例であり、メディア再生装置１０が、入力機２０から入力される操作に基き、フォルダー検索に関する表示を表示装置３０へ行う場合を示す。
【０００４】
但し、サイズも限定される１ＤＩＮ系の比較的安価なカーオーディオシステムのように、表示器が１行程度に限定される場合、同時に表示できるファイルやフォルダー名は１つであり、階層構造をそのまま表示することはできない。このため、例えば、実際のフォルダー検索動作に入るためのキー操作、フォルダー検索動作に移行した後に階層のアップダウン、フォルダー選択などのキー操作が用いられる。
【０００５】
【発明が解決しようとする課題】
しかしながら、従来では、あるフォルダーについて、上記のような１行の表示で、そのフォルダー内に再生可能な楽曲データがあるかどうかと、そのフォルダー内に下位フォルダーがあるかどうか、という２種類の情報を同時に表示する技術は知られていなかった。このため、各フォルダーに再生可能な楽曲データがあるかどうかを含むフォルダーの階層構造を頭の中で直感的には把握し、それに基いて操作を行うことは困難という問題点があった。
【０００６】
本発明は、上記のような従来技術の問題点を解決するために提案されたもので、その目的は、一行程度の小さい表示部でも、フォルダーとともに、そのなかにおける再生可能な楽曲データの有無と、下位フォルダーの有無という２種類の情報を両方同時に表示することで、再生可能な楽曲データの有無を含むフォルダーの階層構造を従来よりも直感的に把握しやすい技術、すなわちメディア再生装置、方法及びプログラムを提供することである。
【０００７】
【課題を解決するための手段】
上記の目的を達成するため、請求項１の発明は、階層化可能なフォルダー内に楽曲データを記録したメディアを再生するメディア再生装置において、前記階層の構造を解析するとともに、その結果に基づき、フォルダー名と共に、そのフォルダー内における下位フォルダーの有無及び再生可能な楽曲データの有無を表示する手段を備えたことを特徴とする。
【０００８】
請求項４の発明は、請求項１の発明を方法という見方から捉えたもので、階層化可能なフォルダー内に楽曲データを記録したメディアを再生するメディア再生方法において、前記階層の構造を解析するとともに、その結果に基づき、フォルダー名と共に、そのフォルダー内における下位フォルダーの有無及び再生可能な楽曲データの有無を表示することを特徴とする。
【０００９】
請求項７の発明は、請求項１，４の発明をコンピュータプログラムという見方から捉えたもので、コンピュータを制御することにより、階層化可能なフォルダー内に楽曲データを記録したメディアを再生するメディア再生プログラムにおいて、そのプログラムは前記コンピュータに、前記階層の構造を解析させるとともに、その結果に基づき、フォルダー名と共に、そのフォルダー内における下位フォルダーの有無及び再生可能な楽曲データの有無を表示させることを特徴とする。
【００１０】
これらの態様では、一行程度の小さな表示部でも、フォルダー名とともに、そのフォルダーにおける再生可能な楽曲データの有無と、下位フォルダーの有無とを、例えばマークの種類やその点滅などで表示する。このため、そのような視覚的情報をもとに、再生可能な楽曲データファイルの有無を含むフォルダーの階層構造を、頭の中に思い浮かべることで、従来より直感的に把握しやすく、キー操作などフォルダー検索操作も容易になる。なお、表現とその表す意味内容との組合せは自由であり、表現はキャラクタが動くなど自由に採用可能である。
【００１１】
請求項２の発明は、請求項１記載のメディア再生装置において、前記下位フォルダーの有無及び再生可能な楽曲データの有無は、いずれか一方を前記フォルダー名と共に表示するマークの種類で、他方をそのマークを点滅させるか否か、により識別表示するように構成されたことを特徴とする。
【００１２】
請求項５の発明は、請求項２の発明を方法という見方から捉えたもので、請求項４記載のメディア再生方法において、前記下位フォルダーの有無及び再生可能な楽曲データの有無は、いずれか一方を前記フォルダー名と共に表示するマークの種類で、他方をそのマークを点滅させるか否か、により識別表示することを特徴とする。
【００１３】
請求項８の発明は、請求項２，５の発明をコンピュータプログラムという見方から捉えたもので、請求項７記載のメディア再生プログラムにおいて、前記プログラムは前記コンピュータに、前記下位フォルダーの有無及び再生可能な楽曲データの有無について、いずれか一方を前記フォルダー名と共に表示するマークの種類で、他方をそのマークを点滅させるか否か、により識別表示させることを特徴とする。
【００１４】
これらの態様では、例えば、再生可能な楽曲データファイルの有無を、例えば白塗りと黒塗りの方形文字キャラクターの別といったマークで表示し、その点滅により下位フォルダーの有無を表すので、フォルダー名の表示は点灯し続け読みやすい表示が実現される。
【００１５】
請求項３の発明は、請求項１記載のメディア再生装置において、前記下位フォルダーの有無及び再生可能な楽曲データの有無は、いずれか一方を前記フォルダー名と共に表示するマークの種類で、他方をそのマーク及び前記フォルダー名を点滅させるか否か、により識別表示するように構成されたことを特徴とする。
【００１６】
請求項６の発明は、請求項３の発明を方法という見方から捉えたもので、請求項４記載のメディア再生方法において、前記下位フォルダーの有無及び再生可能な楽曲データの有無は、いずれか一方を前記フォルダー名と共に表示するマークの種類で、他方をそのマーク及び前記フォルダー名を点滅させるか否か、により識別表示することを特徴とする。
【００１７】
請求項９の発明は、請求項３，６の発明をコンピュータプログラムという見方から捉えたもので、請求項７記載のメディア再生プログラムにおいて、前記プログラムは前記コンピュータに、前記下位フォルダーの有無及び再生可能な楽曲データの有無について、いずれか一方を前記フォルダー名と共に表示するマークの種類で、他方をそのマーク及び前記フォルダー名を点滅させるか否か、により識別表示させることを特徴とする。
【００１８】
これらの態様では、例えば、再生可能な楽曲データファイルの有無をマークで表示し、マーク及びフォルダー名の全体の点滅により下位フォルダーの有無を表すので、下位フォルダの存在が目立って階層構造の理解が一層容易になる。
【００１９】
【発明の実施の形態】
次に、本発明の実施の形態（以下「実施形態」と呼ぶ）について、添付の図面を参照して具体的に説明する。なお、本実施形態は、階層化可能なフォルダー内に楽曲データを記録したメディアであるディスクを再生するメディア再生装置に関するものである。
【００２０】
このような本実施形態は、ハードウェアに含まれるコンピュータをプログラムで制御することにより実現され、メディア再生装置（以下「本装置」と呼ぶ）に加え、メディア再生方法及びプログラムとしても把握可能であるが、この場合のハードウェアやプログラムの実現態様は各種変更可能であるから、以下の説明では、本発明及び本実施形態の各機能を実現する仮想的回路ブロックを用いる。
【００２１】
〔１．構成〕
本実施形態は、図５の従来例に準じて構成でき、この場合、メディア再生装置は、固定メモリーもしくは、ＣＤ等のディスクなどに代表されるメディアに記録された圧縮オーディオファイル等の楽曲データを読み込み、再生できるシステムであり、表示装置は、以下に説明するような本発明の表示を実現できる表示器であり、例えば文字表示用の液晶マトリクスが所定数横に並んだ一行の液晶表示器などである。また、入力機は、後述するように、階層上の上位層、下位層の選択キーと同一階層上のフォルダーを選択できる選択キーを備えたものである。
【００２２】
具体的には、本装置は、図１に示す次の構成要素を備える。すなわち、１はＣＤ再生部、２は押釦などのキー入力機器、３はキー入力機器２から与えられる操作に基いてＣＤ再生部１を制御するホスト側ＣＰＵである。
【００２３】
また、ＣＤ再生部１において、４はＣＤ再生部１全体を制御するＣＤ再生制御用のＣＰＵであり、ホスト側ＣＰＵ３と情報伝達用のデータバスで接続される。また、ＣＤメカ５は、ＣＤの駆動及び読取機構などのメカニズムであり、ドライバ５ｄはＣＤメカ５を制御する部分である。ＦＲアンプ６、ＤＳＰ７及びデコーダ８はＣＤから読み取られた信号を処理する部分である。
【００２４】
また、ＣＰＵ４は、前記プログラムの作用により、フォルダーの階層構造を前提としたフォルダー検索機能を持つよう構成され、フォルダーの情報は１行程度の文字表示領域を備えた表示部Ｄに出力される。また、キー入力機器２は、少なくとも、前記階層上において上位層、下位層を選択する各キーと、同一階層上のフォルダーを選択できる選択キーを持つものとする。
【００２５】
ここで、図２は本装置の正面図を例示するもので、表示部Ｄと、メディアであるコンパクトディスク（ＣＤ）を挿入するためのメディア挿入口Ｓと、音量つまみＶＲに加え、前記選択キーとして複数の操作釦Ｂを備えている。
【００２６】
さらに、ＣＰＵ４は、前記プログラムの作用により、以下のように作用する手段として構成される。
【００２７】
〔２．作用〕
すなわち、ＣＰＵ４は、フォルダー検索動作時に各フォルダー名を表示部Ｄに表示するが、その際、前記階層の構造を解析するとともに、その結果に基づき、フォルダー名と共に、そのフォルダー内における下位フォルダーの有無及び再生可能な楽曲データの有無を表示する。これらの表示は、フォルダー名の冒頭に１文字のマークを加えて表示することにより表すものとする。
【００２８】
ここで、再生可能な楽曲データの有無については、フォルダー名と共に表示するマークの種類で識別表示し、具体的には、再生出来るファイルが無ければ「□」を、再生可能な楽曲データのファイルが有れば「■」のマーク（記号）を表示する。また、下位フォルダーの有無については、前記マークを点滅させるか否かで識別表示し、具体的には、下位フォルダーがあるときはマークを点滅させ、下位フォルダーが無いときは点滅させない。
【００２９】
すなわち、図３のフローチャートに示すように、ＣＰＵ４は、メディアのフォルダー構造を解析のうえ（ステップ０１）、フォルダー自体が無ければ（ステップ０２）そのまま再生処理へ移行するが（ステップ１０）、フォルダーがあった場合は、最初に表示すべきフォルダーと、その後に切替表示すべき他の各フォルダーについて、次のような処理を行なう。
【００３０】
例えば、フォルダー「ＡＢＣＤＥ」について、フォルダー内に再生可能な楽曲データのファイルがなく（ステップ０３）、下位フォルダーも存在しない場合（ステップ０７）、「□」を点滅無しで表示する表示例１が用いられる（ステップ０９、図４（ａ））。
【００３１】
また、フォルダー「ＡＢＣＤＥ」について、再生可能な楽曲データのファイルはないが（ステップ０３）、下位フォルダーは存在する場合（ステップ０７）、「□」を点滅ありで表示する表示例２が用いられる（ステップ０９、図４（ｂ））。
【００３２】
また、フォルダー「ＡＢＣＤＥ」について、再生可能な楽曲データのファイルがあり（ステップ０３）、下位フォルダーも存在する場合（ステップ０４）、「■」を点滅ありで表示する表示例３が用いられる（ステップ０５、図４（ｃ））。
【００３３】
そして、フォルダー「ＡＢＣＤＥ」について、再生可能な楽曲データのファイルはあるが（ステップ０３）、下位フォルダーは存在しない場合（ステップ０４）、「■」を点滅無しで表示する表示例４が用いられる（ステップ０６、図４（ｄ））。
【００３４】
〔３．効果〕
以上のように、本実施形態では、一行程度の小さな表示部でも、フォルダー名とともに、そのフォルダーにおける再生可能な楽曲データの有無と、下位フォルダーの有無とを、例えばマークの種類やその点滅などで表示する。このため、そのような視覚的情報をもとに、再生可能な楽曲データファイルの有無を含むフォルダーの階層構造を、頭の中に思い浮かべることで、従来より直感的に把握しやすく、キー操作などフォルダー検索操作も容易になる。なお、表現とその表す意味内容との組合せは自由であり、表現はキャラクタが動くなど自由に採用可能である。
【００３５】
特に、本実施形態では、再生可能な楽曲データファイルの有無を、例えば白塗りと黒塗りの方形文字キャラクターの別といったマークで表示し、その点滅により下位フォルダーの有無を表すことにより、フォルダー名の表示は点灯し続け読みやすい表示が実現される。なお、これとは逆に、下位フォルダーの有無をマークの種類で、楽曲データの有無をマークの点滅で表してもよい。
【００３６】
〔４．他の実施形態〕
なお、本発明は、上記実施形態には限定されず、以下に例示するような他の実施形態も含むものである。すなわち、各図に示した構成、処理手順等の詳細は例示に過ぎず、適宜変更して本発明を実施することが可能であり、例えば各フォルダーについて、そのフォルダー内の先頭曲のタイトルや再生時間などを表示してもよい。また、マークの種類や点滅の有無といった表現と、その意味する内容との組合せは自由であり、「〇」「＊」「△」などのマークや、文字図形等のキャラクタが動くなど他の表現態様も利用可能である。
【００３７】
また、上記実施形態における点滅はマークのみを対象としたが、マークとフォルダー名の全体を点滅させるかどうかで識別表示を行うようにしてもよい。このようにすれば、例えば、再生可能な楽曲データファイルの有無をマークで表示し、マーク及びフォルダー名の全体の点滅により下位フォルダーの有無を表すので、下位フォルダの存在が目立って階層構造の理解が一層容易になる。
【００３８】
また、メディアは、ＣＤやＣＤ−Ｒなどのディスク類に限らず、固定式又は着脱式のフラッシュメモリ等の半導体による記憶媒体や、カード形式や着脱式又は固定式のハードディスクドライブに記録された楽曲等のデータを再生するものでもよく、再生対象は楽曲には限定されないことは言うまでもない。
【００３９】
【発明の効果】
以上のように、この発明によれば、一行程度の小さい表示部でも、フォルダーとともに、そのなかにおける再生可能な楽曲データの有無と、下位フォルダーの有無という２種類の情報を両方同時に表示することで、再生可能な楽曲データの有無を含むフォルダーの階層構造を従来よりも直感的に把握しやすい技術、すなわちメディア再生装置、方法及びプログラムを提供することことができる。
【図面の簡単な説明】
【図１】本発明の実施形態の構成を示す機能ブロック図。
【図２】本発明の実施形態におけるメディア再生装置の正面図。
【図３】本発明の実施形態における処理手順を示すフローチャート。
【図４】本発明の実施形態における表示例を示す図。
【図５】本発明の実施形態及び従来技術における概略的構成例の共通部分を示す概念図。
【符号の説明】
１…ＣＤ再生部
２…キー入力機器
３…ホスト側ＣＰＵ
４…ＣＰＵ
５…ＣＤメカ
６…ＲＦアンプ
７…ＤＳＰ
８…ｍｐ３デコーダ
９…ＤＲＡＭ
Ｂ…操作釦
Ｄ…表示部
Ｓ…メディア挿入口
ＶＲ…音量つまみ
ＳＴＥＰ…手順の各ステップ
【図１】
2004030759.tif 000003
【図２】
2004030759.tif 000004
【図３】
2004030759.tif 000005
【図４】
2004030759.tif 000006
【図５】
2004030759.tif 000007